(57)【要約】【課題】  排熱の排出の都度取り外すことなくカバーの状態を容易に変更できる排気口カバーを提供する。【解決手段】  取付具１０とカバー本体２０とからなる排気口カバー１を排気口６１の周囲に設置する。カバー本体２０は第１縁巻部２２の軸心を中心として、係合部１３の周方向に自在に揺動できるように構成されている。カバー本体２０の重心位置が第１縁巻部２２の軸心を通る垂直面３０に対して排気口６１の側に位置するときは、カバー本体２０は排気口６１の側の位置で安定する。又、カバー本体２０の重心位置が垂直面３０に対して五徳５９の側に位置するときは、カバー本体２０は五徳５９の側の位置で安定する。このように、排気口カバー１を取り外すことなく、排気口６１をカバーする状態と、排気口６１の上方を開放する状態とを容易に切り替えることができる。【選択図】  図５
2011137580.tif 000002
【特許請求の範囲】
【請求項１】
コンロの排気口の汚れを防止するための排気口カバーであって、
前記排気口の周囲に取付けられる取付具と、
外縁の少なくとも一部に縁巻を有するパネル状に形成され、前記排気口の上方を覆う第１位置と前記排気口の上方を開放する第２位置との間を、前記縁巻の軸心を中心に揺動自在となるように前記取付具に前記縁巻の一部を介して取付けられたカバー本体とを備え、
前記カバー本体が前記第１位置にあるとき、前記カバー本体の重心は前記軸心を通る垂直面に対して前記排気口側に位置し、
前記カバー本体が前記第２位置にあるとき、前記カバー本体の重心は前記垂直面に対して前記排気口とは反対側に位置する、排気口カバー。
【請求項２】
前記取付具は、前記縁巻の一部に係合する係合部を有し、
前記係合部は、軸方向全域にその周壁の一部が開放部として開放され、内径が前記縁巻の一部よりやや大きい筒形状を有し、
前記開放部の周方向の直線距離は、前記縁巻の一部の外径より小さい、請求項１記載の排気口カバー。
【請求項３】
前記カバー本体は丸みを帯びた角部を有し、前記縁巻の一部は前記角部に向かってその外径が徐々に所定の外径になるまで小さくなり、前記所定の外径で前記角部は形成される、請求項２記載の排気口カバー。
【請求項４】
前記取付具は、曲げ加工された磁性体と前記磁性体にその一部が囲われた磁石とを含み、
前記磁性体の一部が前記係合部を構成する、請求項１から請求項３のいずれかに記載の排気口カバー。
【発明の詳細な説明】
【技術分野】
【０００１】
この発明は排気口カバーに関し、特に魚焼きグリルやオーブンが組み込まれたシステムキッチンレンジ等の排気口に用いられる排気口カバーに関するものである。
【背景技術】
【０００２】
近年、システムキッチンレンジ等の排気口からの排熱を排出しつつ、排気口の汚れを防止する、特許文献１に示されているような排気口カバーが提案されている。
【０００３】
図６は、特許文献１に示されている、従来の排気口カバーを排気口の周囲に設置した状態を示した斜視図であり、図７は、図６で示した“Ｚ”部分の拡大斜視図であり、図８は、図７で示したＶＩＩＩ−ＶＩＩＩラインの端面図である。
【０００４】
これらの図を参照して、排気口カバー７１がシステムキッチンレンジ５０のガードプレート５３の上の排気口６１の外枠部６３の周囲に設置されている。排気口６１の五徳５９の側から排気口６１の上方にかけては排気口カバー７１の立上がり胴部７３ａ及び傾斜胴部７３ｂにより、排気口６１の側部は側壁部７４により、それぞれ覆われている。尚、排気口６１の壁面６９の側は排気口カバー７１に覆われておらず、開放されている。側壁部７４の下端の縁巻７５には縁巻きガイド片８１を介して取付部品８０が着脱自在に取付けられており、取付部品８０の内部に組み込まれた永久磁石８９によって、排気口カバー７１は磁性材料よりなるガードプレート５３に堅固に取り付けられる。
【０００５】
このように排気口カバー７１を設置した状態で魚焼きグリル等を使用し、排気口６１から排熱６７が排出されると、排熱６７は図の点線のように立上がり胴部７３ａ及び傾斜胴部７３ｂに沿って上昇し、上方に排出される。ここで例えば排気口６１と壁面６９との距離Ｆ２が１７５ｍｍのとき、排気口６１の出側における排熱６７の温度が５００〜６００℃であってその排出状態が連続２時間程度経過した場合であっても、壁面６９の壁面温度は７５℃にしかならない。したがって、壁面６９が低温火災の原因となる１００℃以上に上昇することはなく、排気口カバー７１を設置した状態で魚焼きグリル等を使用することができる。
【０００６】
図９は、図７で示したＩＸ−ＩＸラインの端面図である。
図を参照して、取付部品８０は、矩形断面形状の永久磁石８９と、永久磁石８９を囲う磁性材料よりなる枠部８３と、枠部８３と一体的に接続され、その断面形状が逆Ｓ字型状の縁巻ガイド片８１とから構成される。縁巻ガイド片８１の円筒部分の内径Ｄ３は縁巻７５の外径とほぼ同じ大きさの３ｍｍに、縁巻ガイド片８１の端部と枠部８３の端部とのなす隙間８５の距離Ａ２は１．５ｍｍとなっている。よって、縁巻８５はその軸方向に対し直角方向に抜け止め状態となる。又、縁巻ガイド片８１の円筒部分の内径Ｄ３と縁巻７５の外径とはほぼ同じ大きさであるから、縁巻７５が縁巻ガイド片８１の内部にぴったりと係合し、側壁部７４と取付部品８０とは安定した結合状態となる。
【先行技術文献】
【特許文献】
【０００７】
【特許文献１】特開平９−８９２７３号公報
【発明の概要】
【発明が解決しようとする課題】
【０００８】
上記のような従来の排気口カバーでは、排気口と壁面との距離が更に近い機種の場合、排気口カバーを設置した状態では壁面温度が過度に上昇してしまう危険性があり、壁面温度が高くなった場合には都度取り外す必要があった。尚、平成２１年度より、日本ガス機器検査協会の検査規定にて、今まで排気口から壁面までの距離が１５０ｍｍであったものが、５０ｍｍまで近づけた場合の検査も想定内に含まれてきており、従来の排気口カバーを設置した状態では検査をクリアできない可能性も出てきた。
【０００９】
この発明は、上記のような課題を解決するためになされたもので、排熱の排出の都度取り外すことなくカバーの状態を容易に変更できる排気口カバーを提供することを目的とする。
【課題を解決するための手段】
【００１０】
上記の目的を達成するために、請求項１記載の発明は、コンロの排気口の汚れを防止するための排気口カバーであって、排気口の周囲に取付けられる取付具と、外縁の少なくとも一部に縁巻を有するパネル状に形成され、排気口の上方を覆う第１位置と排気口の上方を開放する第２位置との間を、縁巻の軸心を中心に揺動自在となるように取付具に縁巻の一部を介して取付けられたカバー本体とを備え、カバー本体が第１位置にあるとき、カバー本体の重心は軸心を通る垂直面に対して排気口側に位置し、カバー本体が第２位置にあるとき、カバー本体の重心は垂直面に対して排気口とは反対側に位置するものである。
【００１１】
このように構成すると、カバー本体は第１位置及び第２位置において安定する。
【００１２】
請求項２記載の発明は、請求項１記載の発明の構成において、取付具は、縁巻の一部に係合する係合部を有し、係合部は、軸方向全域にその周壁の一部が開放部として開放され、内径が縁巻の一部よりやや大きい筒形状を有し、開放部の周方向の直線距離は、縁巻の一部の外径より小さいものである。
【００１３】
このように構成すると、開放部の周方向にカバー本体は揺動し、縁巻は係合部に対して軸方向にスライド可能であるが、軸方向に対する直角方向に抜け止め状態となる。
【００１４】
請求項３記載の発明は、請求項２記載の発明の構成において、カバー本体は丸みを帯びた角部を有し、縁巻の一部は角部に向かってその外径が徐々に所定の外径になるまで小さくなり、所定の外径で角部は形成されるものである。
【００１５】
このように構成すると、取付具の係合部は、所定の外径の縁巻部分を利用してカバー本体に係合が可能となる。
【００１６】
請求項４記載の発明は、請求項１から請求項３のいずれかに記載の発明の構成において、取付具は、曲げ加工された磁性体と磁性体にその一部が囲われた磁石とを含み、磁性体の一部が係合部を構成するものである。
【００１７】
このように構成すると、排気口周りが磁性体の場合、取付具は強固に固定される。
【発明の効果】
【００１８】
以上説明したように、請求項１記載の発明は、カバー本体は第１位置及び第２位置において安定するので、カバー本体の位置を容易に変更できるため、使い勝手が向上する。
【００１９】
請求項２記載の発明は、請求項１記載の発明の効果に加えて、開放部の周方向にカバー本体は揺動し、縁巻は係合部に対して軸方向にスライド可能であるが、軸方向に対する直角方向に抜け止め状態となるので、取付具の位置調整が容易となると共に、取付具からカバー本体が不用意に脱落しない。
【００２０】
請求項３記載の発明は、請求項２記載の発明の効果に加えて、取付具の係合部は、所定の外径の縁巻部分を利用してカバー本体に係合が可能となるので、取付具のカバー本体への脱着が容易となる。
【００２１】
請求項４記載の発明は、請求項１から請求項３のいずれかに記載の発明の効果に加えて、排気口周りが磁性体の場合、取付具は強固に固定されるので、排気口カバーの取り付け状態が安定する。
【図面の簡単な説明】
【００２２】
【図１】この発明の第１の実施の形態による排気口カバーを排気口の周囲に設置した状態を示した斜視図であって、従来技術の図６に対応する図である。
【図２】図１で示した“Ｘ”部分の拡大斜視図である。
【図３】図２で示したＩＩＩ−ＩＩＩラインの端面図であって、従来技術の図８に対応する図である。
【図４】図３で示した“Ｙ”部分の拡大図である。
【図５】図３で示した排気口カバーの使用時におけるカバー本体の位置及びカバー本体の重心位置の移動過程を示した模式図である。
【図６】特許文献１に示されている、従来の排気口カバーを排気口の周囲に設置した状態を示した斜視図である。
【図７】図６で示した“Ｚ”部分の拡大斜視図である。
【図８】図７で示したＶＩＩＩ−ＶＩＩＩラインの端面図である。
【図９】図７で示したＩＸ−ＩＸラインの端面図である。
【発明を実施するための形態】
【００２３】
図１は、この発明の第１の実施の形態による排気口カバーを排気口の周囲に設置した状態を示した斜視図であって、従来技術の図６に対応する図である。
【００２４】
図を参照して、従来技術による排気口カバー７１がこの発明の第１の実施の形態による排気口カバー１に置き換えられている。排気口カバー１は厚さ１２０μｍのアルミ箔によるプレス加工によりパネル状に形成されており、短手方向の断面が円弧状となっている。排気口６１を覆う部分として形成されているカバー本体２０ａとカバー本体２０ｂとは、長手方向の縁巻部を重ね合わせて互いに長手方向に摺動自在のスライド構造を有するものである。尚、他の部分は図６に示したものと同一であるため、ここでの説明は繰り返さない。
【００２５】
このように構成すると、排気口カバー１の全体の長さを変更できるので、排気口６１の長さに合わせて排気口カバー１の全体の長さを調整できる。
【００２６】
図２は、図１で示した“Ｘ”部分の拡大斜視図である。
【００２７】
図を参照して、排気口６１の壁面６９と逆の側から排気口６１の上方にかけては排気口カバー１に覆われている。一方、排気口６１の側部及び壁面６９の側は排気口カバー１に覆われておらず、開放されている。
【００２８】
排気口カバー１はカバー本体２０と取付具１０とからなる。
【００２９】
カバー本体２０はその外縁の全周に縁巻２１が形成された平面視略長方形状であって丸みを帯びた角部２５を有し、長手方向に直交する断面形状が円弧状となるものである。縁巻２１は第１縁巻部２２と、第１縁巻部２２の端部にその一端が接続されると共に巻径が徐々に縮小する縁巻変化部２３と、縁巻変化部２３の他端にその一端が接続される第２縁巻部２４とからなる。第１縁巻部２２はカバー本体２０の上端部及び下端部のほぼ全域に形成され、第２縁巻部２４は角部２５及びカバー本体２０の側端部全域に形成されている。
【００３０】
取付具１０は、軸方向全域にその周壁の一部が開放部１４として開放され、内径が第１縁巻部２２の外径よりやや大きい係合部１３を有する。尚、係合部１３の寸法の詳細は後述する。取付具１０は、角部２５の周辺の第２縁巻部２４に対して係合部１３を組み込ませ、縁巻変化部２３を経由して取付具１０を第１縁巻部２２の方向へ摺動させることで、カバー本体２０の下端部の第１縁巻部２２に取付けられる。取付具１０が取り付けられた排気口カバー１は排気口６１の外枠部６３のすぐ傍（手前側）に設置され、取付具１０の内部に組み込まれた磁石１１によって、磁性材料よりなるガードプレート５３に堅固に取り付けられる。
【００３１】
このように構成すると、取付具１０の係合部１３は、第１縁巻部２２を利用してカバー本体２０に係合が可能となるので、取付具１０のカバー本体２０への脱着が容易となる。
【００３２】
又、第１縁巻部２２は係合部１３に対して軸方向にスライド可能であるため、取付具１０のカバー本体２０に対する位置調整が容易となる。
【００３３】
図３は、図２で示したＩＩＩ−ＩＩＩラインの端面図であって、従来技術の図８に対応する図である。
【００３４】
図を参照して、従来技術による排気口カバー７１がこの発明の第１の実施の形態による排気口カバー１に置き換えられている。又、排気口６１と壁面６９との距離Ｆ１がＦ２（１７５ｍｍ）よりも短い距離となっている。ここでは仮に、距離Ｆ１を５０ｍｍとする。尚、他の部分は図８に示したものと同一であるため、ここでの説明は繰り返さない。
【００３５】
図４は、図３で示した“Ｙ”部分の拡大図である。
【００３６】
図を参照して、取付具１０は、矩形断面形状の磁石１１と、磁石１１を囲う磁性材料よりなる枠体１２と、枠体１２と一体的に接続され、その断面形状が略円筒形状の係合部１３とから構成される。係合部１３の内径Ｄ１は第１縁巻部２２の外径Ｄ２（４ｍｍ）よりやや大きいものに、開放部１４の距離Ａ１は第１縁巻部２２の外径Ｄ２よりも０．５ｍｍ〜１．０ｍｍ小さいものとなっている。
【００３７】
このように構成すると、第１縁巻部２２はその軸方向に対し直角方向に抜け止め状態となるため、取付具１０からカバー本体２０が不用意に脱落せず、カバー本体２０と取付具１０とは安定した結合状態となる。
【００３８】
カバー本体２０は、カバー本体２０のパネル部分が開放部１４より係合部１３の外側に突き出ているため、第１縁巻部２２の軸心を中心として、枠体１２との接面Ｐ１から係合部１３の端部との接面Ｐ２までの間において、係合部１３の周方向に自在に揺動する。
【００３９】
ここで、カバー本体２０が枠体１２と接面Ｐ１において接するときの位置であって、図４の実線で示したカバー本体２０の位置を第１位置とする。又、カバー本体２０が係合部１３の端部と接面Ｐ２において接するときの位置であって、図４の二点鎖線で示したカバー本体２０の位置を第２位置とする。
【００４０】
すると、カバー本体２０は第１位置から第２位置の間で容易に位置を変更できることになるが、この効果については後述する。
【００４１】
図５は、図３で示した排気口カバーの使用時におけるカバー本体の位置及びカバー本体の重心位置の移動過程を示した模式図である。
【００４２】
まず、図５の（１）を参照して、排気口カバー１を排気口６１の周囲に設置して、取付具１０によってその位置を固定してカバー本体２０を排気口６１の側に傾ける。このとき、カバー本体２０の重心位置は第１縁巻部２２の軸心を通る垂直面３０に対して排気口６１の側に位置するように構成されている。そのため、カバー本体２０には排気口６１の側に向かう時計方向回りの回転モーメントＭ１が掛かるが、カバー本体２０は枠体１２に当接状態となり、カバー本体２０は第１位置にて安定する。この状態では、排気口カバー１は排気口６１に対してカバー効果を発揮する。
【００４３】
次に、図５の（２）を参照して、カバー本体２０を排気口６１の側から五徳５９の側に少し起こす。ここで、カバー本体２０の重心位置が垂直面３０の上に位置するとき、カバー本体２０には回転モーメントが掛からなくなり、カバー本体２０は不安定な状態となる。
【００４４】
更に、図５の（３）を参照して、カバー本体２０を更に五徳５９の側に傾ける。このとき、カバー本体２０の重心位置は垂直面３０に対して五徳５９の側に移動するため、カバー本体２０には五徳５９の側に向かう反時計方向回りの回転モーメントＭ２が掛かるがカバー本体２０は係合部１３に当接状態となり、カバー本体２０は第２位置にて安定する。尚、カバー本体２０が第２位置に来ると、排気口６１の上方が完全に開放される。この状態で魚焼きグリル等を使用すると、排気口６１から排出される排熱６７は図の点線のように排気口６１の真上に向かって上昇し、壁面６９に当たることなく排出される。その結果、壁面６９の温度が過度に上昇しない。
【００４５】
このように、カバー本体２０は第１位置及び第２位置において安定するので、普段は第１位置にて排気口６１を覆って排気口６１の汚れを防止でき、排気口６１から排熱６７が排出される場合には、第２位置に移動して排気口６１の上方を開放して排熱６７が壁面６９に当たらないようにすれば良い。すなわち、カバー本体２０を都度取り外すことなく壁面６９の壁面温度を過度に上昇させないようにすることができるため、使い勝手が向上する。
【００４６】
尚、上記の第１実施の形態では、カバー本体は２枚に分かれていてスライド構造を有するものであったが、１枚のみからなるものであっても良い。
【００４７】
又、上記の第１の実施の形態では、縁巻はカバー本体の外縁の全周に形成されているが、外縁の少なくとも一部に形成されていれば良い。
【００４８】
更に、上記の第１の実施の形態では、カバー本体の縁巻は第１縁巻部、縁巻変化部及び第２縁巻部よりなるが、取付具の係合部と係合しうるものであれば一定の外径よりなる縁巻であっても良い。
【００４９】
更に、上記の第１の実施の形態では、カバー本体は丸みを帯びた角部を有するものであったが、パネル状に形成されているものであれば良い。
【００５０】
更に、上記の第１の実施の形態では、取付具は磁石を含むものであったが、排気口カバーの位置を固定しうるものであれば磁石を含まなくても良い。
【００５１】
更に、上記の第１の実施の形態では、係合部は枠体の一部により構成されているものであったが、枠体と別の部材により構成されていても良い。
【００５２】
更に、上記の第１の実施の形態では、取付具の枠体は磁性材料よりなるものであったが、非磁性材料よりなるものであっても良い。
【００５３】
更に、上記の第１の実施の形態では、開放部の距離は第１縁巻部の外径よりも０．５ｍｍ〜１．０ｍｍ小さいものであったが、抜け止め状態を維持するためには第１縁巻部の外径よりも大きなものでなければ良い。あるいは、抜け止めを不要とする場合では、開放部の距離は第１縁巻部の外径よりも大きなものであっても良い。
【符号の説明】
【００５４】
１…排気口カバー
１０…取付具
１１…磁石
１２…枠体
１３…係合部
１４…開放部
２０…カバー本体
２１…縁巻
２２…第１縁巻部
２３…縁巻変化部
２４…第２縁巻部
２５…角部
尚、各図中同一符号は同一又は相当部分を示す。
【図１】
2011137580.tif 000003
【図２】
2011137580.tif 000004
【図３】
2011137580.tif 000005
【図４】
2011137580.tif 000006
【図５】
2011137580.tif 000007
【図６】
2011137580.tif 000008
【図７】
2011137580.tif 000009
【図８】
2011137580.tif 000010
【図９】
2011137580.tif 000011